(57)【要約】【課題】取り扱い性が良く、しかも作業の安全性を確保することを意図したアンテナ設置用ポールを提供する。【解決手段】このアンテナ設置用ポール１を利用してアンテナＡを高所に設置するにあたって、まず、ポール部２を鉛直に立てた状態で、フック部６を木の枝Ｃなどに引っ掛ける。その後、ポール部２を立てた状態を維持しながら、着脱自在なフック部６をポール部２から外す。そして、作業者は引き上げロープ１０を力強く引っ張る。そのとき、引き上げロープ１０の端部は、フック部６に一体的に設けられたロープ挿通部７を介してポール部２の基端に固定されているので、引き上げロープ１０を引っ張るにつれてポール部２の基端が徐々に持ち上げられ、それに伴って、ポール部２の先端のアンテナＡが高上げされる。そして、アンテナＡが所定の高さに達した時点で、引き上げロープ１０を、木の幹などに巻き付けるなどして仮止めすることにより、アンテナＡの高上げ作業は完了する。【選択図】  図２
2004356723.tif 000002
【特許請求の範囲】
【請求項１】
先端にアンテナが固定される直状のポール部と、
前記ポール部の途中に着脱自在に取り付けられたフック部と、
前記ポール部の基端に一端が固定されると共に、前記フック部に一体的に設けられたロープ挿通部に通される引き上げロープとを備えたことを特徴とするアンテナ設置用ポール。
【請求項２】
前記フック部に一端が固定されると共に、前記アンテナと前記フック部との間で前記ポール部に固定されたロープ引掛け部に引っ掛けられたフック外し用ロープを更に備えたことを特徴とする請求項１記載のアンテナ設置用ポール。
【請求項３】
前記ポール部に固定された筒状部材内に前記フック部の基端部分が挿入されて、前記フック部を前記ポール部に対して着脱自在にしたことを特徴とする請求項１又は２記載のアンテナ設置用ポール。
【請求項４】
前記筒状部材は、前記ポール部にテープ止めされていることを特徴とする請求項３記載のアンテナ設置用ポール。
【発明の詳細な説明】
【０００１】
【発明の属する技術分野】
本発明は、実験局として、アンテナを山間部などで高所に設置するのに適したアンテナ設置用ポールに関するものである。
【０００２】
【従来の技術】
山間部などの所定の地点に実験局を設置する場合、その地点において地表から高い位置にアンテナを設置する必要がある。高所にアンテナを設置する場合、従来においては、はしご車などの特装車が利用されるか、又は、樹木などにハシゴを掛け、作業者が長いアンテナを手にもってハシゴを登り、所定の場所にアンテナを仮止めするような作業が行われていた。そして、電波の擾（じょう）乱の影響を可能な限り小さくするためには、出来るだけ高い位置にアンテナを設置することが必要となる。
【０００３】
【特許文献１】
特開平７−３０１０２６号公報
【０００４】
【発明が解決しようとする課題】
しかしながら、従来のアンテナ設置方法では次のような課題が存在している。すなわち、実験局のアンテナを設置するにあたって、特装車を利用すると、木立の間で作業することが困難であり、しかも、作業が大がかりになってしまうという問題点がある。また、ハシゴを利用する場合、作業者が高い場所まで登らなくてはならないため、作業者がハシゴから落下したり、ハシゴが倒れるなどの危険を伴うので、注意深く慎重に作業を進めることが必要になる。
【０００５】
本発明は、取り扱い性が良く、しかも作業の安全性の確保を意図したアンテナ設置用ポールを提供することを目的とする。
【０００６】
【課題を解決するための手段】
本発明に係るアンテナ設置用ポールは、先端にアンテナが固定される直状のポール部と、ポール部の途中に着脱自在に取り付けられたフック部と、ポール部の基端に一端が固定されると共に、フック部に一体的に設けられたロープ挿通部に通される引き上げロープとを備えたことを特徴とする。
【０００７】
このアンテナ設置用ポールを利用してアンテナを高所に設置するにあたって、まず、ポール部を鉛直に立てた状態で、フック部を木の枝などに引っ掛ける。その後、ポール部を立てた状態を維持しながら、着脱自在なフック部をポール部から外す。そして、作業者は引き上げロープを力強く引っ張る。そのとき、引き上げロープの端部は、フック部に一体的に設けられたロープ挿通部を介してポール部の基端に固定されているので、引き上げロープを引っ張るにつれてポール部の基端が徐々に持ち上げられ、それに伴って、ポール部先端のアンテナが高上げされる。そして、アンテナが所定の高さに達した時点で引き上げロープの引っ張り作業を終了し、引き上げロープを、木の幹などに巻き付けるなどして仮止めすることで、アンテナの高上げ作業は完了する。
【０００８】
また、フック部に一端が固定されると共に、アンテナとフック部との間でポール部に固定されたロープ引掛け部に引っ掛けられたフック外し用ロープを更に備えると好適である。高上げされたアンテナによって実験局としてのデータ取りが完了すると、このアンテナを撤収する必要がある。このような場合に、ポール部の下端を一方の作業者が手で支えながら他方の作業者がフック外し用ロープを引っ張ると、フック部が持ち上げられ、これに伴って、枝などに引っ掛けられたフック部が外れる。そして、ポール部を手で支えながら徐々に降ろすことで、アンテナの撤収作業が完了する。
【０００９】
また、ポール部に固定された筒状部材内にフック部の基端部分が挿入されて、フック部をポール部に対して着脱自在にすると好適である。このような構成を採用すると、筒状部材に対してフック部を抜き差し自在にすることができるので、簡易な構成をもってフック部が着脱自在になる。
【００１０】
また、筒状部材は、ポール部にテープ止めされていると好適である。ポール部にフック部を固定させる位置に応じて、ポール部の最大持ち上げ量が決定されるので、テープを利用して筒状部材をポール部に固定することは、ポール部に対するフック部の位置調整を容易にし、現地での高上げ準備作業が良好になる。
【００１１】
【発明の実施の形態】
以下、図面を参照しつつ本発明に係るアンテナ設置用ポールの好適な実施形態について詳細に説明する。
【００１２】
図１及び図２に示すように、アンテナ設置用ポール１は、手で握れる程度の太さからなる直状のポール部２を有し、このポール部２は、アンテナＡが取り付けられることを考慮しつつ軽量化を意図して、非磁性体からなるアルミによって形成されている。さらに、山間部での一般的な樹木の高さを考慮して、ポール部２の全長は１２ｍが適切である。なお、ポール部２の持ち運びや長さ調整を考慮して、ポール部２は、複数に分割された中継ぎ式のものであってもよく、テレスコープ式のものであってもよい。
【００１３】
このようなポール部２の先端には、アンテナＡがガムテープＧによってしっかり固定され、ポール部２の基端にはリング部３が設けられている。さらに、ポール部２の途中には、ポール部２に沿うように配置した両切り状態の筒状部材４がポール部２に対しガムテープＧによって固定されている。この筒状部材４には、フック部６の基端部分が上から差し込まれる。このフック部６は、筒状部材４内に上から差し込まれる直状部分６ａと、木の枝に引っ掛けることができる程度の曲率（例えば直径１２０ｍｍ）をもったＵ字状部分６ｂとからなる。このようなフック部６は、軽量化を図るためにアルミによって形成され、直状部分６ａには、ロープ挿通部７がフック部６に対し一体的に固定されている。
【００１４】
このロープ挿通部７は、フック部６に溶接固定される筐体７ａと、この筐体７ａ内に取り付けられて引き上げロープ１０の滑りを良好にし且つロープ１０のガイドを達成するガイド部分（例えば回転可能な滑車、回転しない滑車、シンブルなど）７ｂとからなる。そして、この引き上げロープ１０は、ロープ挿通部７のガイド部分７ｂに通されて、引き上げロープ１０の一端はポール部２のリング部３に結び付けられ、引き上げロープ１０の他端はフリーな状態になっている。
【００１５】
この場合、フック部６は、筒状部材４に対して抜き差し自在になっているので、簡易な構成をもってフック部６がポール部２に対して着脱自在になる。さらに、現地の状況（例えば木の高さ）に応じてフック部６の位置調整は必要であり、ポール部２にフック部６を固定させる場所に応じて、ポール部２の最大持ち上げ量が決定される。そこで、粘着テープ（例えばガムテープＧ）を利用することで、ポール部２に対するフック部６の高さ位置調整が容易になり、現地での高上げ準備作業をスムーズに行うことができる。
【００１６】
さらに、ポール部２の先端には、アンテナＡとフック部６との間に位置するように、ロープ引掛け部１１がガムテープＧによって固定されている。このロープ引掛け部１１は、ポール部２に沿って延在する直状部分１１ａと、この直状部分１１ａの途中に形成されてフック外し用ロープ１２を通すためのアイ（目）部１１ｂと、このアイ部１１ｂを乗り越えるように直状部分１１ａに橋状に渡された掛け渡し部１１ｃとからなる。この掛け渡し部１１ｃは、ポール部２が木の枝をすり抜けるように持ち上げられる際に、アイ部１１ｂが枝に引っ掛かり難くしている。
【００１７】
このようなロープ引掛け部１１の両端はガムテープＧによってポール部２に固定される。そして、フック外し用ロープ１２は、ロープ引掛け部１１に引っ掛けるようにしてアイ部１１ｂに通され、ロープ１２の一端はフック部６のＵ字状部分６ｂに結び付けられ、ロープ１２の他端はフリーな状態になっている。
【００１８】
次に、山間部でアンテナ設置用ポール１を利用する際の取り扱いについて説明する。
【００１９】
先ず、図３に示すように、ポール部２を所望の木の幹Ｂに沿って真っ直ぐに立ち上げる。このとき、アンテナＡが木の枝Ｃに当たらないように注意しながらポール部２を徐々に持ち上げていく。所定の高さまでポール部２が持ち上げられたら、図４に示すように、フック部６のＵ字状部分６ｂを木の枝Ｃに引っ掛ける。そして、図５に示すように、ポール部２を少しだけ下げることにより、フック部６の直状部分６ａが筒状部材４から外れる。
【００２０】
その後、図６に示すように、引き上げロープ１０を力強く引っ張り続ける。そのとき、引き上げロープ１０の下端は、フック部６に一体的に設けられたロープ挿通部７を介してポール部２の下端（基端）に固定されているので、引き上げロープ１０を引っ張るにつれてポール部２が徐々に持ち上げられ、それに伴って、先端のアンテナＡが高上げされる。そして、アンテナＡが木の頂きから２ｍ程覗き出たところで引き上げロープ１０の引っ張り作業を終了し、引き上げロープ１０を木の幹Ｂなどに巻き付けて仮止めする。これによって、アンテナＡの高上げ作業が完了し、実験局の準備が整う。
【００２１】
その後、送信機２０（図２参照）から送り出される信号を、ケーブル２１を介してアンテナＡに供給し、アンテナＡから外部に向けて電波を送信し、別の場所に待機した電測車でその電波を受信する。そのとき、電測車で電波の擾（じょう）乱状態のデータ取りを行う。そして、電波の測定が終了すると、アンテナ設置用ポール１の撤収作業を開始する。
【００２２】
撤収にあたって、図７に示すように、引き上げロープ１０を徐々に緩めながら、作業者の手の届く位置までポール部２を徐々に降ろしていく。そして、図８に示すように、作業者がポール部２を掴んで真っ直ぐに立てたままにしておく。このとき、フック部６のＵ字状部分６ｂは木の枝Ｃに引っ掛けられたままの状態であるため、このフック部６を木の枝Ｃから撤収する必要がある。
【００２３】
そこで、別の作業者がフック外し用ロープ１２を引っ張ると、図８及び図９に示すように、フック部６が木の枝Ｃから外れるので、アンテナＡの撤収作業をスムーズに行うことが可能となる。そして、ポール部２が中継ぎ式である場合にはポール部２を分割して撤収し、テレスコープ式である場合にはポール部２を縮めて撤収する。
【００２４】
【発明の効果】
本発明によるアンテナ設置用ポールは、以上のように構成されているため、次のような効果を得る。すなわち、先端にアンテナが固定される直状のポール部と、ポール部の途中に着脱自在に取り付けられたフック部と、ポール部の基端に一端が固定されると共に、フック部に一体的に設けられたロープ挿通部に通される引き上げロープとを備えたことにより、取り扱い性が良く、しかも作業の安全性を確保することができる。
【図面の簡単な説明】
【図１】本発明に係るアンテナ設置用ポールの一実施形態を示す正面図である。
【図２】図１に示したアンテナ設置用ポールの拡大図である。
【図３】ポールを手で持ち上げた状態を示す正面図である。
【図４】フック部を木の枝に引っ掛けた状態を示す正面図である。
【図５】フック部をポール部から外した状態を示す正面図である。
【図６】ロープを引っ張ってアンテナを最上まで高上げした状態を示す正面図である。
【図７】ロープを使ってポールを引き降ろす状態を示す正面図である。
【図８】ロープを使って木の枝からフック部を外した状態を示す正面図である。
【図９】アンテナの撤収状態を示す正面図である。
【符号の説明】
１…アンテナ設置用ポール、２…ポール部、４…筒上部材、６…フック部、７…ロープ挿通部、１０…引き上げロープ、１１…ロープ引掛け部、１２…フック外し用ロープ、Ａ…アンテナ、Ｇ…ガムテープ（粘着テープ）。
【図１】
2004356723.tif 000003
【図２】
2004356723.tif 000004
【図３】
2004356723.tif 000005
【図４】
2004356723.tif 000006
【図５】
2004356723.tif 000007
【図６】
2004356723.tif 000008
【図７】
2004356723.tif 000009
【図８】
2004356723.tif 000010
【図９】
2004356723.tif 000011